(57)【要約】【課題】電線カバーのロック部がレバーとの干渉を回避可能な位置に設置された場合に、ロック部にロック以外の機能を発揮させることが可能なコネクタを提供する。【解決手段】電線カバー７０は、マットシールカバー５０の後面を覆うように配置され、ハウジング１０のロック受け部２７に係止されるロック部７８を有する。ロック受け部２７は、収容凹部２３の周壁２４の外面側を覆うレバー９０と対応する位置に配置される。ロック部７８は、ロック受け部２７に対して収容凹部２３の周壁２４の内面側から係止される。マットシールカバー５０は、ハウジング１０に係止されない半組付状態にある場合に、ロック受け部２７へ向かうロック部７８が当接する組付検知面５５を有している。【選択図】図５
2018018583.tif 000002
【特許請求の範囲】
【請求項１】
前方から相手ハウジングに嵌合され、後面に収容凹部が開口し、前記収容凹部の周壁にロック受け部が設けられているハウジングと、
前記ハウジングに対して回動させられ、前記ハウジングと前記相手ハウジングとを嵌合させるレバーと、
前記収容凹部の奥面に対面して配置される弾性板状のマットシールと、
前記収容凹部の奥面との間に前記マットシールを挟んで前記ハウジングに係止され、前記マットシールの前記収容凹部からの抜け出しを規制するマットシールカバーと、
前記マットシールカバーの後面を覆うように配置され、前記ロック受け部に係止されるロック部が設けられている電線カバーとを備え、
前記ロック受け部は、前記収容凹部の周壁の外面側を覆う前記レバーと対応する位置に配置され、前記ロック部は、前記ロック受け部に対して前記収容凹部の周壁の内面側から係止され、
前記マットシールカバーは、前記ハウジングに係止されない半組付状態にある場合に、前記ロック受け部へ向かう前記ロック部が当接する組付検知面を有していることを特徴とするコネクタ。
【請求項２】
前記マットシールカバーには前記ロック部を逃がす切欠部が設けられ、前記組付検知面が前記切欠部の奥面に構成されている請求項１記載のコネクタ。
【請求項３】
前記収容凹部の周壁には、前記レバーとの干渉を回避可能な位置に外側ロック受け部が設けられ、前記電線カバーには、電線の引き出される引出口側において前記外側ロック受け部に対して前記収容凹部の周壁の外面側から係止される外側ロック部が設けられている請求項１又は２記載のコネクタ。
【発明の詳細な説明】
【技術分野】
【０００１】
本発明は、コネクタに関する。
【背景技術】
【０００２】
特許文献１に開示のコネクタは、ハウジング本体（ハウジング）と、ハウジング本体の周壁部に内嵌され、ハウジング本体の背面に当接する弾性板状の一括ゴム栓（マットシール）と、ハウジング本体の背面との間に一括ゴム栓を挟んでハウジングに係止され、一括ゴム栓の抜け出しを規制するホルダ（マットシールカバー）と、ホルダの後面を覆うようにハウジング本体に係止される電線カバーと、電線カバーに回動可能に支持されるレバーとを備えている。
【先行技術文献】
【特許文献】
【０００３】
【特許文献１】特開２０１１−３４９２３号公報
【発明の概要】
【発明が解決しようとする課題】
【０００４】
ところで、上記特許文献１とは異なるが、仮に、ハウジング本体に係止される電線カバーのロック部がレバーと干渉する位置にある場合には、ロック部をレバーとの干渉を回避可能な位置に退避させなければならない。しかし、ロック部をそうした位置に退避させると、ホルダ等の他の部材にロック部が干渉する可能性があり、他の部材の構造変更をも必要になることから、全体の構造が複雑になるという事情がある。このため、単に全体の構造を複雑にするだけではなく、ロック部にロック以外の機能をもたせることが望まれる。
【０００５】
本発明は上記のような事情に基づいて完成されたものであって、電線カバーのロック部がレバーとの干渉を回避可能な位置に設置された場合に、ロック部にロック以外の機能を発揮させることが可能なコネクタを提供することを目的とする。
【課題を解決するための手段】
【０００６】
本発明は、前方から相手ハウジングに嵌合され、後面に収容凹部が開口し、前記収容凹部の周壁にロック受け部が設けられているハウジングと、前記ハウジングに対して回動させられ、前記ハウジングと前記相手ハウジングとを嵌合させるレバーと、前記収容凹部の奥面に対面して配置される弾性板状のマットシールと、前記収容凹部の奥面との間に前記マットシールを挟んで前記ハウジングに係止され、前記マットシールの前記収容凹部からの抜け出しを規制するマットシールカバーと、前記マットシールカバーの後面を覆うように配置され、前記ロック受け部に係止されるロック部が設けられている電線カバーとを備え、前記ロック受け部は、前記収容凹部の周壁の外面側を覆う前記レバーと対応する位置に配置され、前記ロック部は、前記ロック受け部に対して前記収容凹部の周壁の内面側から係止され、前記マットシールカバーは、前記ハウジングに係止されない半組付状態にある場合に、前記ロック受け部へ向かう前記ロック部が当接する組付検知面を有しているところに特徴を有する。
【発明の効果】
【０００７】
レバーが収容凹部の周壁の外面側を覆う場合に、レバーと対応する位置に配置されたロック受け部に対し、ロック部が収容凹部の周壁の内面側から係止されるため、レバーとロック部との干渉を回避することができる。ロック部は、ロック受け部へ向かう過程で組付検知面と当接することにより、マットシールカバーが半組付状態にあることを検知することができる。したがって、ロック部がロック機能のみならず、マットシールカバーの組付状態を検知する機能を兼備するため、有用性を高めることができる。
【図面の簡単な説明】
【０００８】
【図１】本発明の実施例１に係るコネクタの分解斜視図である。
【図２】コネクタの斜視図である。
【図３】コネクタの平面図である。
【図４】コネクタの正面図である。
【図５】マットシールカバーが半組付状態にあり、電線カバーが組付位置へ向かう途中の状態を示す断面図である。
【図６】図４のＡ−Ａ線断面図である。
【図７】電線カバーの斜視図である。
【図８】電線カバーの側面図である。
【図９】レバーの正面図である。
【発明を実施するための形態】
【０００９】
本発明の好ましい実施形態を以下に示す。  
前記マットシールカバーには前記ロック部を逃がす切欠部が設けられ、前記組付検知面が前記切欠部の奥面に構成されているとよい。これによれば、切欠部によってロック部とマットシールカバーとの干渉を確実に回避することができる。また、切欠部がロック部を逃がす機能のみならず、マットシールカバーの組付状態を検知する機能をも兼備することができる。
【００１０】
前記収容凹部の周壁には、前記レバーとの干渉を回避可能な位置に外側ロック受け部が設けられ、前記電線カバーには、電線が引き出される引出口側において前記外側ロック受け部に対して前記収容凹部の周壁の外面側から係止される外側ロック部が設けられているとよい。電線カバーの引出口側は電線が干渉して過大な応力が発生し易く、ロック強度を高めることが求められる。その点、上記のように、引出口側の外側ロック部がレバーとの干渉を回避可能な位置に配置された外側ロック受け部に対して収容凹部の周壁の外面側から係止される構造であれば、ロック強度を大きく確保することができる。
【００１１】
＜実施例１＞
以下、実施例１を図面に基づいて説明する。本実施例１に係るコネクタは、図１に示すように、フロントリテーナ１１、シールリング１２、ハウジング本体１３、マットシール４０、マットシールカバー５０、電線カバー７０及びレバー９０を備える。フロントリテーナ１１、シールリング１２及びハウジング本体１３は、ハウジング１０を構成し、ハウジング１０は、図示しない相手ハウジングに嵌合可能とされる。なお、以下の説明において、前後方向については、ハウジング１０が相手ハウジングと嵌合する側を前側とし、上下方向は、図３を除く各図を基準とする。
【００１２】
ハウジング本体１３は合成樹脂製であって、全体として略矩形ブロック状をなしている。図５に示すように、ハウジング本体１３の内部には、複数のキャビティ１４が前後方向に貫通して設けられている。各キャビティ１４の内面には、ランス１５が前方へ片持ち状に突出して設けられている。各キャビティ１４には後方から電線３０（図３を参照）の端部に接続された図示しない端子金具が挿入される。端子金具は、ランス１５に弾性的に係止されることでキャビティ１４内に抜け止めされる。
【００１３】
フロントリテーナ１１は合成樹脂製であって、キャップ状をなし、図１に示すように、上下方向にほぼ沿った略矩形平板状の前面壁１６と、前面壁１６の周縁から後方に突出する周面壁１７と、前面壁１６の後面から後方に突出する複数の規制片１８（図５及び図６を参照）とを有している。前面壁１６には、相手ハウジングに装着された図示しない雄端子金具のタブを挿通可能な挿通孔２０が各キャビティ１４と連通可能に設けられている。フロントリテーナ１１は、前方からハウジング本体１３に装着される。フロントリテーナ１１が正規に装着されると、図５に示すように、前面壁１６がハウジング本体１３の前面に対面して配置されるとともに、周面壁１７がハウジング本体１３の外周面を覆うように配置され、且つ、各規制片１８が対応するランス１５の撓み空間に進入して、ランス１５の撓み動作が規制される。
【００１４】
シールリング１２はゴム製であって、図１に示すように、略矩形環状をなし、ハウジング本体１３の外周面に嵌着して保持される。図５に示すように、シールリング１２は、ハウジング本体１３の外周面に設けられた段差面１９に後方から当接して配置され、フロントリテーナ１１の周面壁１７によって前方への抜け出しが規制される。ハウジング１０が相手ハウジングに嵌合されると、相手ハウジングのフード部分とハウジング本体１３との間にシールリング１２が弾性的に挟み込まれ、両ハウジング間が液密にシールされる。
【００１５】
図１に示すように、ハウジング本体１３の外周面には、後述する収容凹部２３の周壁２４から立ち上がったあと前方へ短く突出する嵌合筒壁２１が設けられている。図５に示すように、シールリング１２は、嵌合筒壁２１の内側に配置され、嵌合筒壁２１とシールリング１２との間の空間に、相手ハウジングのフード部分が進入して嵌合可能となっている。図１に示すように、嵌合筒壁２１の前端には、左右中央から偏心した位置に凹所２２が切り欠かれるようにして設けられている。
【００１６】
図５に示すように、ハウジング本体１３の後面には、収容凹部２３が凹設されている。収容凹部２３の外周は、ハウジング本体１３の後端部に設けられた周壁２４によって区画されている。周壁２４は、全周にわたって連なる断面略矩形状の薄壁であって、図１に示すように、上下両側外面の左右中央から偏心した位置に、略円柱状の支軸２５が突出して設けられている。
【００１７】
図１に示すように、周壁２４には、複数のロック孔２６と、１つのロック受け部２７と、複数の外側ロック受け部２８とが設けられている。  
各ロック孔２６は、周壁２４の上下両壁部分の左右両側と、周壁２４の左右両壁部分の上下両側とに、略矩形状に貫通する形態で設けられている。
【００１８】
ロック受け部２７は、周壁２４の上壁部分の左右一端側（支軸２５の偏心側とは反対側）に、略矩形状に貫通する形態で設けられている。このロック受け部２７は、隣接するロック孔２６と左右に並んで配置され、ロック孔２６とほぼ同じ前後位置にほぼ同じ形状で配置されている。
【００１９】
各外側ロック受け部２８は、周壁２４の上壁部分の左右他端側と、周壁２４の下壁部分の左右両端側とに、爪状に突出する形態で設けられている。このうち、上壁部分に設けられた外側ロック受け部２８は、上壁部分の左右中央に対し、ロック受け部２７と略対称の位置に配置されている。
【００２０】
マットシール４０はゴム製であって、図１に示すように、断面略矩形の板状をなし、前後方向と略直角な方向にほぼ沿って配置される。このマットシール４０は、収容凹部２３に後方から挿入され、図５に示すように、前面が収容凹部２３の奥面に対面して弾性的に密着するとともに、外周面が収容凹部２３の内周面に対面して弾性的に密着するようになっている。マットシール４０には、各キャビティ１４と連通する位置に略円形のシール孔４１が貫通して設けられている。各シール孔４１内には端子金具に接続された電線３０が挿入され（図示する場合は後述するダミー栓５２）、電線３０（ダミー栓５２）の周囲が液密にシールされるようになっている。
【００２１】
マットシールカバー５０は合成樹脂製であって、図１に示すように、断面略矩形の板状をなし、マットシール４０よりも前後厚みを少し大きくして構成されている。このマットシールカバー５０は、各シール孔４１と連通する位置に略矩形に開口する貫通孔５１を有している。図示する場合、各シール孔４１は前方へ突出する形態のダミー栓５２によって閉塞されている。端子金具がキャビティ１４に挿入される際には、対応するダミー栓５２が取り除かれ、貫通孔５１が開放される。これにより、端子金具は、貫通孔５１からシール孔４１を経てキャビティ１４に挿入可能な状態になる。
【００２２】
マットシールカバー５０の外周面には、複数の弾性ロック部５３が設けられている。各弾性ロック部５３は、マットシールカバー５０の上下両面の左右両側と左右両面の上下両側とに、本体部分（貫通孔５１が設けられる部分）の後端から前端にかけて片持ち状に突出する形態になっている。このマットシールカバー５０は、収容凹部２３に挿入され、前面と収容凹部２３の奥面との間にマットシール４０を密着状態で挟んで保持する。
【００２３】
また、図１に示すように、マットシールカバー５０の上面の左右一端側には、略角凹状に切り欠かれた形態の切欠部５４が設けられている。切欠部５４は、隣接する弾性ロック部５３と左右に並んで配置されている。具体的には切欠部５４は、底面部分と左右側面部分と前面部分とで区画された浅底凹状をなし、上面及び後面が開放されている。図５に示すように、切欠部５４の前面部分は、上下方向及び左右方向にほぼ沿って配置され、後述するロック部７８の先端面（前端面）が当接可能な組付検知面５５として構成される。
【００２４】
電線カバー７０は合成樹脂製であって、図７及び図８に示すように、互いに平行な一対の上板部７１及び下板部７２と、上板部７１及び下板部７２の後端間に配置され、後面を閉塞する背板部７３と、背板部７３、上板部７１及び下板部７２のそれぞれの左右一端間に配置され、左右一端面を後述する開口部７４を残して閉塞する側板部７５、７６とを有し、背板部７３に対向する前面と側板部７５、７６に対向する左右他端面とが開放された形態になっている。
【００２５】
詳細は図示しないが、ハウジング１０の後面から延出する各電線３０（図３を参照）は、電線カバー７０の内側に収容された状態で背板部７３によって左右他端側へ向けて強制的に屈曲させられ、背板部７３に沿うように左右方向に配策され、左右他端面の開放部分（以下、引出口７７という）から外部へ引き出される。
【００２６】
側板部７５、７６には、引出口７７とは反対側の位置に、略矩形の開口部７４が貫通して設けられている。開口部７４は、側板部７５、７６の全高にわたって開口し、上下両端が上板部７１及び下板部７２によって区画されている。電線カバー７０内における電線３０の収容状態は、開口部７４を通して視認することが可能となっている。
【００２７】
側板部７５、７６は、開口部７４の前端を区画する前側架設部７５と、開口部７４の後端を区画する後側架設部７６とに、前後に分割されている。前側架設部７５及び後側架設部７６は、上板部７１及び下板部７２間に上下方向に架け渡された長板状をなしている。
【００２８】
上板部７１及び下板部７２の左右一端部には、平面視及び底面視において開口部７４に対応する側板部７５、７６の板厚分だけ切り欠かれた形態になっている。そして、上板部７１には１つのロック部７８が設けられ、上板部７１及び下板部７２には複数の外側ロック部７９が設けられている。
【００２９】
ロック部７８は、図７に示すように、上板部７１の左右一端側に配置され、その左右一端部において一段内側へ段付き状に引っ込んだ形態で前後方向に延出する内側段部８１と、内側段部８１に連続して上板部７１の前端から前方へ突出するロック本体部８２と、ロック本体部８２の先端部（前端部）において外側に突出する爪状のロック突起８３とからなる。図３に示すように、内側段部８１の上端は、開口部７４の傾斜縁に連なっている。ロック突起８３の外側への突出寸法は、内側段部８１の内側への引っ込み量と同じか少し小さくされている。
【００３０】
図７に示すように、各外側ロック部７９は、上板部７１の左右他端側と下板部７２の左右両端側とに配置され、上板部７１及び下板部７２の外面側において前後方向にほぼ平行に延出し、且つ上板部７１の前端から前方へ突出する一対のリブ部分と、両リブ部分の先端（前端）間に架設される連結部分とからなり、全体としてＵ字形に形成されている。外側ロック部７９のうち、上板部７１の前端と連結部分との間の部分は、断面矩形状に開口する形態になっている。
【００３１】
ロック部７８及び各外側ロック部７９は、上板部７１の前端を略支点として上下方向に撓み変形可能とされている。電線カバー７０はハウジング本体１３に後方から取り付けられる。
【００３２】
続いて、レバー９０について説明する。レバー９０は合成樹脂製であって、図１及び図９に示すように、上下方向にほぼ沿った操作部９１と、操作部９１の上下両端から互いにほぼ平行に突出する上下夫々のアーム部９２、９３とを有し、全体として門型板状をなしている。レバー９０は、ハウジング１０及び電線カバー７０に跨るように配置され、操作部９１が電線カバー７０の後方に位置する初期位置と、操作部９１が電線カバー７０及びハウジング本体１３の左右一側方に位置する嵌合位置とに、回動可能とされている。なお、レバー９０に関する以下の説明において、前後左右方向は、レバー９０が嵌合位置にある状態（図２〜図６を参照）を基準とする。
【００３３】
操作部９１は、平板状の本体部分の後端からアーム部９２、９３の突出する方向と同じ側へ突出する突出部９４を有している。突出部９４は、本体部分の後端に沿って上下方向に延出し、レバー９０の回動時に摘み操作し易い形態になっている。
【００３４】
両アーム部９２、９３には、図１に示すように、ハウジング本体１３の支軸２５に嵌合支持される略円形の軸受け部９５が貫通して設けられている。両アーム部９２、９３の内面には、所定方向に延出して外周縁に開口する有底のカム溝９６が設けられている。レバー９０は、初期位置において、カム溝９６の開口が前方へ向くように配置され、両ハウジングが浅く嵌合されたときに、カム溝９６の内側に図示しない相手ハウジングのカムフォロアが進入する。その後、レバー９０は、支軸２５を中心として嵌合位置へ向けて回動させられ、カムフォロアがカム溝９６の溝面を摺動することによってカム作用を発揮し、嵌合位置にて両ハウジングを正規の嵌合状態に至らすようになっている。
【００３５】
両アーム部９２、９３の左右他端側（操作部９１から離れる側）には、一対の仮係止アーム９７が設けられている。仮係止アーム９７は、前方へ向けて片持ち状に突出する形態とされ、先端部（前端部）に設けられた突起部分がハウジング本体１３の凹所２２の内縁に弾性的に係止されることにより、レバー９０を初期位置に仮係止状態で保持するようになっている。
【００３６】
両アーム部９２、９３のうち、上側のアーム部９２は、下側のアーム部９３よりも左右一端側（操作部９１側）の前後寸法が大きくされている。上側のアーム部９２の左右一端側には、ハウジングロック部９８が設けられている。ハウジングロック部９８は、左右一対のスリット間において前端から後方へ片持ち状に延出する形態とされ、前端を略支点として上下方向に撓み変形可能とされている。ハウジングロック部９８は、相手ハウジングを係止して、両ハウジングを正規嵌合状態に保持する役割をはたすものである。
【００３７】
図２及び図３に示すように、上側のアーム部９２は、嵌合位置において、嵌合筒壁２１を含むハウジング１０の後部上面を、左右方向他端側を除いて覆うように配置される。この場合に、周壁２４の上壁部分における外面側の左右一端側は、上側のアーム部９２によって覆われる被覆面２９（図５を参照）となり、ここに対応するロック部７８は、被覆面２９に開口して配置される。これに対し、周壁２４の上壁部分の左右他端側は、上側のアーム部９２によって覆われずに露出し、ここに対応する外側ロック部７９は、レバー９０と非干渉な位置に配置される。同様に、周壁２４の下壁部分の左右他端側と対応する外側ロック部７９も、レバー９０と非干渉な位置に配置されることになる。
【００３８】
一方、周壁２４の下壁部分の左右一端側は、下側のアーム部９３によって覆われた状態になる。しかし、図５に示すように、下側のアーム部９３の内面には逃がし部９９が凹設され、逃がし部９９の内側には、外側ロック受け部２８が臨み、且つ、外側ロック部７９の撓み動作が許容される空間が確保されているため、レバー９０と非干渉な状態が保たれる。なお、図２に示すように、上側のアーム部９２の後端部には、ハウジングロック部９８の左右両側に、下側のアーム部９３よりも厚肉のブロック部８９が設けられている。
【００３９】
次に、本実施例１に係るコネクタの組み付け方法及び作用効果について説明する。  
組み付けに際し、ハウジング本体１３の収容凹部２３に、後方からマットシール４０が挿入され、続いて、マットシールカバー５０が挿入される。マットシールカバー５０が正規に組み付けられると、各弾性ロック部５３が収容凹部２３の内側に進入し、各弾性ロック部５３の先端部における突出部分が収容凹部２３の周壁２４の内面側から対応するロック孔２６に挿入されて弾性的に係止され、マットシールカバー５０がハウジング本体１３に抜け止め保持される。
【００４０】
マットシールカバー５０がハウジング本体１３に組み付けられた後、端子金具が所定のキャビティ１４に挿入される（その場合、あらかじめダミー栓５２を削除しておく）。そして、電線カバー７０がハウジング本体１３に組み付けられる。電線カバー７０が正規に組み付けられると、各外側ロック部７９が収容凹部２３の周壁２４の外面側から対応する外側ロック受け部２８に弾性的に係止されるとともに、ロック部７８のロック本体部８２が収容凹部２３の内側における切欠部５４に進入し、且つ、ロック部７８のロック突起８３が収容凹部２３の周壁２４の内面側から対応するロック受け部２７に挿入されて弾性的に係止される（図６を参照）。これにより、マットシールカバー５０がハウジング本体１３に抜け止め保持される。このように、周壁２４の外面側のうちレバー９０で覆われる被覆面２９と対応する部分においてもロック部７８とロック受け部２７とによるロック構造が実現されるため、ハウジング本体１３に対する電線カバー７０の保持信頼性の向上を図ることができる。
【００４１】
ところで、電線カバー７０が正規に組み付けられたときに、ロック部７８のロック本体部８２の先端面は切欠部５４の組付検知面５５に対面して当接又は近接して配置される。ここで、仮に、マットシール４０が正規に組み付けられていない状態にある場合に、つまり、弾性ロック部５３の先端部がロック孔２６よりも後方に位置してロック孔２６に挿入係止されていない状態（図５を参照、以下、半組付状態という）にある場合に、電線カバー７０がハウジング本体１３に組み付けられようとすると、組み付け過程で切欠部５４に挿入されたロック本体部８２の先端面が組付検知面５５に対面状態で当接し、電線カバー７０のそれ以上の組み付け動作が規制される。したがって、電線カバー７０の組み付け動作が規制されることをもって、マットシールカバー５０が半組付状態にあることを検知することができる。このようにして電線カバー７０が正規に組み付けられる前に、マットシールカバー５０の半組付状態を検知することにより、組み付け作業の迅速性を確保することができる。
【００４２】
組み付け完了後、ハウジング１０を相手ハウジングに嵌合させる。このとき、レバー９０はハウジング本体１３に対して支軸２５を中心として初期位置から嵌合位置へと回動させられる。レバー９０の回動過程では、操作部９１が電線カバー７０の背板部７３から後側架設部７６にわたる外面側にほぼ沿うように変位する。レバー９０が嵌合位置に至ると、図３に示すように、操作部９１の突出部９４が開口部７４に進入し、前側架設部７５における開口部７４の前端を区画する縁部に当接可能に配置される。この場合に、操作部９１の突出部９４は、開口部７４の縁部に当接せずに近接することもあるが、開口部７４の縁部との隙間範囲でガタ付きが生じたときに開口部７４の縁部と当接し得る位置に配置される。なお、前側架設部７５の左右一側方は、操作部９１の本体部分に覆われて当接可能に配置される。また、レバー９０が嵌合位置に至る際には、操作部９１の突出部９４を摘んでいた作業者の手指が開口部７４に入り込み、電線カバー７０との干渉を回避可能となっている。
【００４３】
以上説明したとおり、本実施例１によれば、次の各効果を奏し得る。  
（１）レバー９０が収容凹部２３の周壁２４の外面側を覆う場合に、レバー９０と対応する位置に配置されたロック受け部２７に対し、ロック部７８が収容凹部２３の周壁２４の内面側から係止されるため、レバー９０とロック部７８との干渉を回避することができる。  
（２）ロック部７８は、ロック受け部２７へ向かう過程で組付検知面５５と当接することにより、マットシールカバー５０が半組付状態にあることを検知することができる。したがって、ロック部７８がロック機能のみならず、マットシールカバー５０の組付状態を検知する機能を兼備するため、構成を簡素化することができ、有用性を高めることができる。  
（３）マットシールカバー５０にはロック部７８を逃がす切欠部５４が設けられ、組付検知面５５が切欠部５４の奥面に構成されているため、電線カバー７０の組み付け過程で、ロック部７８とマットシールカバー５０との干渉を確実に回避することができる。また、切欠部５４がロック部７８を逃がす機能のみならず、マットシールカバー５０の組付状態を検知する機能をも兼備することができる。  
（４）収容凹部２３の周壁２４には、レバー９０との干渉を回避可能な位置に外側ロック受け部２８が設けられ、電線カバー７０には、電線３０が引き出される引出口７７側において外側ロック受け部２８に対して収容凹部２３の周壁２４の外面側から係止される外側ロック部７９が設けられているため、外側ロック部７９の設計の自由度を高めることができ、外側ロック部７９に十分なロック強度をもたせることができる。その結果、電線カバー７０の引出口７７に、電線３０との干渉に起因する大きな応力が発生しても、外側ロック部７９と外側ロック受け部２８とのロック状態を良好に維持することができる。
【００４４】
（５）また、本実施例１によれば、電線カバー７０に開口部７４が設けられ、レバー９０の操作部９１の突出部９４が嵌合位置にて開口部７４に進入するから、突出部９４の進入分、コネクタの大型化を回避することができる。この場合に、開口部７４によって電線カバー７０の強度低下が懸念されるものの、レバー９０の操作部９１が開口部７４の縁部に当接可能に配置されるため、開口部７４の縁部と操作部９１とが実質的に一体化し、電線カバー７０の強度低下を抑えることができる。
（６）電線３０は、ハウジング１０の後面から屈曲部分を介して背板部７３に沿うように配置され、開口部７４は、引出口７７とは反対側の面に開口して設けられているとよい。これによれば、開口部７４を通して電線３０の収容状態を視認することができる。また、開口部７４が引出口７７とは反対側で電線３０の屈曲部分と対応して配置されるため、開口部７４から電線３０がはみ出るのを防止することができる。
【００４５】
＜他の実施例＞
以下、他の実施例を簡単に説明する。  
（１）ロック受け部は、収容凹部の周壁の内面に有底に凹設されるものであってもよい。さらに、ロック受け部は、収容凹部の周壁の内面に突出して設けられるものであってもよい。  
（２）上記（１）において、ロック受け部が収容凹部の周壁の内面に突出して設けられる場合、ロック部は、ロック受け部の突出部分が挿入される係止孔を有する形態であってもよい。  
（３）レバーの操作部はその全体が開口部の内側に進入するものであってもよい。  
（４）操作部は、嵌合位置にて常に開口部の縁部と当接した状態を維持するものであってもよい。
【符号の説明】
【００４６】
１０…ハウジング
１３…ハウジング本体
２３…収容凹部
２４…周壁
２７…ロック受け部
２８…外側ロック受け部
３０…電線
４０…マットシール
５０…マットシールカバー
５４…切欠部
５５…組付検知面
７０…電線カバー
７３…背板部
７４…開口部
７７…引出口
７８…ロック部
７９…外側ロック部
９０…レバー
９１…操作部
９４…突出部
【図１】
2018018583.tif 000003
【図２】
2018018583.tif 000004
【図３】
2018018583.tif 000005
【図４】
2018018583.tif 000006
【図５】
2018018583.tif 000007
【図６】
2018018583.tif 000008
【図７】
2018018583.tif 000009
【図８】
2018018583.tif 000010
【図９】
2018018583.tif 000011